(57)【要約】【課題】病気または高年齢などにより、自力で糞を排泄することが困難な人に対して、対策としておむつを使用しおむつに排泄した糞を人力で処理、廃棄していた。この方法では高年齢者の増加とともに、その介護に要する労力、費用は深刻な社会問題となっている。【解決手段】人体の糞をおむつを使わずに体外に排泄するために、体温で液体になる物質で構成した先端を持つ挿入部とそれに続くピストン等の吸引部を持ち、吸引用の袋に糞が収納される様に構成し、排泄後は袋を廃棄すれば本体には何らの不潔物体が付着することのないような人体の糞吸引器を提供する。【選択図】図1
2016063892.tif 000002
【特許請求の範囲】
【請求項１】
人体の肛門に挿入する挿入部を持ち、その挿入部は本体と先端部を持ち、その先端部は円錐形またはこれと類似の肛門に挿入し易い形状をしており、常温（15〜30p℃）では固体であり、体温（37℃）では液体になる物質で構成されることを特徴とする人糞吸引器。
【請求項２】
人体の肛門に挿入する挿入部を持ち、その挿入部は本体と先端部を持ち、その本体は中空の円筒またはこれと類似であることを特徴とする請求項1記載の人糞吸引器。
【請求項３】
人体の肛門に挿入する挿入部を持ち、その挿入部は本体と先端部を持ち、その先端部の内部に浣腸液を持つことを特徴とする請求項1および2記載の人糞吸引器。
【請求項４】
人体の肛門に挿入する挿入部を持ち、その挿入部は本体と先端部を持ち、先端は本体と接する部分で本体の内部に接合しかつ本体に接する外部では本体よりも先端部が太いことを特徴とする請求項1および2記載の人糞吸引器。
【請求項５】
人体の肛門に挿入する挿入部を持ち、その挿入部は本体と先端部を持ち、本体には先端部と反対側に吸引器を接続されることを特徴とする請求項1および2記載の人糞吸引器。
【請求項６】
人体の肛門に挿入する挿入部を持ち、その挿入部は本体と先端部を持ち、本体の外側を経て内部に入り、更にピストンの方へ伸びる袋を持つことを特徴とする請求項1および2記載の人糞吸引器。
【発明の詳細な説明】
【技術分野】
【０００１】
この発明は、病気または高年齢などにより、寝たきりなどで自力で糞を排泄するのが困難な人に対し、外部から強制的に糞を吸引することにより、排泄するための人糞吸引器に関するものである。
【背景技術】
【０００２】
従来、病気または高年齢などにより、自力で糞を排泄するのが困難な人に対してはおむつなどを用い、肛門から排泄された状態の糞を人力で処理するのが当然と考えられ、このために介護の相当な労力、費用が費やされてきた。
【先行技術文献】
【特許文献】
【０００３】
【特許文献１】特願2014-8250
【発明の開示】
【発明が解決しようとする課題】
【０００４】
このためには次の様な欠点があった。
1      嫌な臭いを発するため、周囲の人達全てを不快な気分にさせる。
2      いつ糞を排泄するかわかわず、排泄するたびに世話をする必要がある。
3      何らかの原因で、便秘になると最悪は人手により掻き出す必要がある。
4      これらを解決、軽減するためにおむつを使用する。
本発明は、以上の様な欠点を解決するためになされたものである。
【課題を解決するための手段】
【０００５】
人糞を排泄するのに必要かつ十分な太さと必要な長さの筒を持ち、かつ肛門に挿入するときは、この先端に体温で液体になる物質で構成した円錐形の先端を持ち、かつこの筒の反対側には空気の吸引器を備えたことを特徴とする人糞の吸引器である。
【発明の効果】
【０００６】
1          おむつを使わずに直接肛門から糞を吸引することにより、介護人および、本人の苦痛を大幅に軽減させる。
2          そのために、定期的または随時的に、本発明品を使用することにより、おむつが無くても糞が漏れることが無くなることが期待される。
3          本発明品を肛門に挿入するために、および挿入したあとで肛門および直腸内部で浣腸効果を出すために、挿入部の先端は、体温により固体から液体に短時間で変化する物質で構成し、挿入するため円錐形をしている。
4          先端が液体になるとき、挿入部の先端と反対側即ちピストンの方向に流れていかないように挿入部の中に仕切り板を設ける。これはピストンで吸引されると簡単に外れる程度に固定する。
5          肛門に挿入し、先端の物質が液体になった後で浣腸効果が出たころに挿入部の円筒に接続された吸引器から空気を吸引する。
6          先端を除く挿入部以降の内部および挿入部の外部には、ゴム等の薄い材質で構成された袋が装備されており、吸引された糞はこの袋にたまる。
7          排便終了後この袋を廃棄すれば、挿入部を含めて、吸引器全体が清潔のまま保たれる。
【発明を実施するための最良の形態】
【０００７】
これらの効果を発揮するための本発明について、図面を用いて説明する。
図1は本発明品の模式図であり、肛門10に挿入する部分を上に見て、横方向から見た図である。肛門に挿入する先端部分1は、円錐形をしており、先端が細く尖っている。材質は常温（15〜30℃）では固体であるが体温（37℃）によって液体化し、かつ人体にとって無害な物質から構成する。例えば、バター、ココナツオイル等である。この物質が挿入のため肛門10に触れると体温によって表面が溶けてヌルヌルになる。図3は本発明品を肛門10から先端部分1が直腸11に挿入した状態を示している。これにより肛門10に無理なく挿入出来る。これに続く挿入部の本体2は、円筒形をしている。先端部分1の太い部分は本体2より若干太いため、本体2は肛門10に入る時、肛門を傷付けることがない。
また本体2にはゴム等の柔らかくて薄い材質の袋9が装着されており、本体2の外側を通って本体2の内側に入り、ピストン3の内部に達する。
本体2の太さは、無理なく肛門10に挿入することが可能であり、かつ内部を直腸11からの糞が通過する。各個人によってサイズは異なるが直径は約10mmから50mm程度と考えられる。これに続く3は内部を真空にするためのピストンであり、円筒になっている。
ピストン移動体8には、操作して内部を真空にするためのピストン操作棒4が接続されている。
5はこの操作棒を握るための握り玉である。
【０００８】
図2は内部の構造および動作を説明するための断面図である。
先端部分1は図2の示すように、外形は円錐形をしており、先端が細く尖っており肛門10に挿入し易いようになっている。また体温によって液体になる時に、肛門10に挿入後は速やかに液体になることが望しい。そのため円錐形1の内部は空洞になっている。このため先端部分1の体積が減少し、液体になり易い。また場合によってはこの空洞部分6に別の浣腸液で満たしておくこともある。寝たきりになると便が塊となって排泄することが困難になることがある。そのような場合には本発明の先端部分1は液体となった円錐形およびその内部の浣腸液6はこの便を溶かし排泄しやすくする効果がある。さらにこの効果を高めるために、7の仕切り板を設けることもできる。仕切り板7はピストン3によって簡単に破ける材料、構造とし先端部分1が液体になった時にその液体をピストン3の方向の流れていかないように阻止する効果がある。ただし糞がピストンで吸引されると簡単に破れる程度の丈夫さとする。
さらに本発明では、本発明品および介護人を清潔に取り扱うことが出来るように、袋9に示す薄くて伸縮が可能であり、かつ糞を貯めるのに十分な大きさを持った袋9を準備する。
【０００９】
これにより、本発明品を肛門10に挿入すると、次の様な動作となる。
まず体温により先端部分1が液体となり、更に内部の浣腸液6が固まった便を溶かし、排泄し易くなる。適当な頃を見計らって、ピストン操作棒4を引く。これによりピストン3は真空となり、糞が仕切り板7を破って袋9に吸引される。
十分に糞が排泄したときに、ピストン移動体８を引き抜き、袋9を外して廃棄する。これにより直腸内部にあった糞は排泄される。
【００１０】
図3は本発明品を肛門10内に挿入した直後の様子を示す模式図である。
10は肛門であり、本発明品の先端部分1が肛門10を通って直腸11内に達した状態である。
直腸内部に存在する便により、先端部分1が温められ円錐形内部の浣腸液6とともに糞を柔らかくし排便し易くする。
【図面の簡単な説明】
【００１１】
【図１】本発明品の外形図を示す模式図
【図２】本発明品の動作を説明するための断面図を示す模式図
【図３】本発明品の肛門への挿入状態を示す模式図
【符号の説明】
【００１２】
1  挿入部の先端部分
2  挿入部の本体
3  ピストン
4  ピストン操作棒
5      操作棒の握り玉
6    先端部分の内部
7      仕切り板
8      ピストン移動体
9      袋
10   肛門
11   直腸
【図１】
2016063892.tif 000003
【図２】
2016063892.tif 000004
【図３】
2016063892.tif 000005